(57)【要約】【課題】正規嵌合物１２より小型の異種嵌合物４５，４６の挿入を防止できるコネクタを提供する。【解決手段】嵌合物の断面形状に基づいて正規嵌合物１２のみを所定位置まで挿入可能とする異種小型嵌合物挿入防止機構４４を備える。カード挿入に追従して移動させるカード排出用の可動体２０を備えたカードコネクタにおいては、メモリーカードの断面形状（幅と高さ）に基づいて変位するカード選別体４７によって、正規メモリーカード１２の場合に可動体２０のカード排出位置での固定を解除し、小型の異種メモリーカード４５，４６の場合には可動体２０をカード排出位置に固定し、正規メモリーカード１２のみを所定位置まで挿入可能とする異種小型カード挿入防止機構４４を備え、正規メモリーカード１２より小型の異種メモリーカード４５，４６の挿入を防止する。【選択図】図２
2005166520.tif 000002
【特許請求の範囲】
【請求項１】
挿入口から挿入された嵌合物の断面形状に基づいて正規嵌合物のみを所定位置まで挿入可能とする異種嵌合物挿入防止機構を備えることを特徴とするコネクタ。
【請求項２】
異種嵌合物挿入防止機構は挿入口から挿入された嵌合物を当接させる可動体を、嵌合物の断面形状に基づいて変位する嵌合物選別体によって、正規嵌合物より小型の異種嵌合物の場合にロック状態に保持し、正規嵌合物の場合にロックを解除する請求項１に記載のコネクタ。
【請求項３】
嵌合物選別体は独立して変位可能な複数の変位部を有し、正規嵌合物でのみ全ての変位部が同時にロック解除位置へ変位する請求項２に記載のコネクタ。
【請求項４】
挿入口から挿入されたメモリーカードに当接させてカード挿入に追従して移動させるカード排出用の可動体を備えたコネクタにおいて、メモリーカードの断面形状に基づいて変位するカード選別体によって、正規メモリーカードより小型の異種メモリーカードの場合に可動体をロックし、正規メモリーカードの場合に可動体のロックを解除し、正規メモリーカードのみを所定位置まで挿入可能とする異種カード挿入防止機構を備えることを特徴とするコネクタ。
【請求項５】
カード選別体は独立して変位可能な複数の変位部を有し、正規メモリーカードでのみ全ての変位部が同時にロック解除位置へ変位する請求項４に記載のコネクタ。
【請求項６】
正規メモリーカードが正規挿入姿勢以外の姿勢で誤挿入された時、正規メモリーカードの角落しされていない角部を当接させてそれ以上のカード挿入を防止するカード誤挿入防止体を備え、カード選別体の一つの変位部をカード挿入方向から見てカード誤挿入防止体と重なる位置に配設する請求項５に記載のコネクタ。
【請求項７】
可動体と正規メモリーカードを挿抜方向で係合させるための係止部材を備え、係合部材は可動体の凹部から弾力的に突出し、挿入口から挿入された正規メモリーカードが可動体に当接した時、正規メモリーカードに形成された係合溝に係合する請求項４乃至６の何れか１つに記載のコネクタ。
【請求項８】
可動体と、可動体をカード排出位置に付勢するカード排出バネと、ロック機構とで構成するカード排出機構を備え、ロック機構は可動体に形成するカム溝と、カム溝に一端を摺動自在に嵌入させるカムピンとを備え、１回目のカード押込操作でカム溝の係止溝部にカムピンを係止させ、可動体をカードセット位置にロックし、２回目のカード押込操作で係止溝部からカムピンを離脱させ、可動体のロックを解除してカード排出位置に復帰させる請求項４乃至７の何れか１つに記載のコネクタ。
【請求項９】
カム溝は可動体がカード排出位置にある時にカムピンを位置させる起点溝部と、一回目のカード押込操作で起点溝部から係止溝部にカムピンを導入係止させる往路溝部と、２回目のカード押込操作で係止溝部から起点溝部にカムピンを復帰させる正規復路溝部に加え、係止溝部からカード排出方向に形成して起点溝部に連通させるエスケープ溝を備え、カードセット位置の可動体に保持された正規メモリーカードの無理抜き時、係合部材の退入動作によって係止溝部からカムピンを離脱させて可動体のロックを解除し、カムピンをエスケープ溝から起点溝部に復帰可能として可動体をカード排出位置に復帰させる無理抜き防止機構を備える請求項８に記載のコネクタ。
【発明の詳細な説明】
【技術分野】
【０００１】
本発明は、例えば、基板対基板、電線対電線、基板対電線、カード対基板、カード対電線などの接続に用いられるコネクタに関する。
【背景技術】
【０００２】
この種コネクタにおいては、正規嵌合物より大きな異種嵌合物の挿入は挿入口にて防止できるが、正規嵌合物より小型の異種嵌合物の挿入は防止できず、コンタクトの耐久性低下や破損を招くなどの問題がある。
【０００３】
また、各種コネクタの中でも基板対カードのコネクタ、即ち、カードコネクタは、パーソナルコンピューター、ＰＤＡ（ personal digital assistance ）、携帯電話機、デジタルテレビ、デジタルビデオ、デジタルカメラ、ポータブルオーディオ、カーオーディオ及びカーナビなどの様々な電子機器（デジタル機器）のプリント基板上に実装され、様々な電子データ（デジタルデータ）を記録し、様々な電子機器間で移動させたり交換するためのＩＣ記録媒体として用いられるメモリーカードを受入れて、このカードに内蔵された電子回路と電子機器に内蔵された電子回路とを複数のコンタクトを介して電気的に接続させるものであるが、メモリーカードの種類が多く、また１種類のメモリーカードのみが使用可能な専用コネクタもあれば、サイズの異なる２種類のメモリーカードが使用可能な共用コネクタもあり（例えば、特許文献１、特許文献２参照。）、さらにはメモリーカードが様々な電子機器に対応できる利点も手伝い、手持ちのメモリーカードの中でどれが正規メモリーカードであるか把握し難くいという現状があり、正規メモリーカードより小型の異種メモリーカードが挿入口（スロット）から挿入される可能性が高く、上記のような問題を生じ易い。
具体的には、例えば、サイズ２４×３２×２．１ｍｍ（幅×奥行き×高さ）のＳＤメモリーカード用のカードコネクタに、ＳＤメモリーカードを小型化したサイズ２０×２１．５×１．４ｍｍ(幅×奥行き×高さ)のｍｉｎｉＳＤメモリーカードがアダプタ（ｍｉｎｉＳＤメモリーカードをＳＤメモリーカードと同サイズにするもの。）なしで挿入されたり、サイズ２１．５×５０×２．８ｍｍ(幅×奥行き×高さ)のメモリーカードであるメモリースティック用のカードコネクタに、このメモリースティックを小型化したサイズ２０×３１×１．６ｍｍ(幅×奥行き×高さ)のメモリースティックＤｕｏがアダプタ（メモリースティックＤｕｏをメモリースティックと同サイズにするもの。）なしで挿入された場合、コンタクトの耐久性低下や破損を招く。
また、ｍｉｎｉＳＤメモリーカードやメモリースティックＤｕｏはＳＤメモリーカードやメモリースティックより幅と高さだけでなく奥行きも短いため、コネクタ内部に入込んでしまい、簡単に取出せなくなるという問題もある。
【特許文献１】特開２００２−４２９３１号公報
【特許文献２】特開２００２−１６４１２４号公報
【発明の開示】
【発明が解決しようとする課題】
【０００４】
本発明が解決する課題は、コネクタについて、正規嵌合物より大型の異種嵌合物の挿入は挿入口にて防止できても、正規嵌合物より小型の異種嵌合物の挿入は防止できず許容されている点である。
【課題を解決するための手段】
【０００５】
本発明は、正規嵌合物より小型の異種嵌合物の挿入を防止するため、挿入口から挿入された嵌合物の断面形状（幅と高さ）に基づいて正規嵌合物のみを所定位置まで挿入可能とする異種嵌合物挿入防止機構を備えることを特徴とする。
【０００６】
異種嵌合物挿入防止機構は挿入口から挿入された嵌合物を当接させる可動体を、嵌合物の断面形状に基づいて変位する嵌合物選別体によって、正規嵌合物より小型の異種嵌合物の場合にロック状態に保持し、正規嵌合物の場合にロックを解除することで、挿入口から挿入された嵌合物の断面形状（幅と高さ）に基づいて、正規嵌合物のみを所定位置まで挿入可能とし、正規嵌合物より小型の異種嵌合物の挿入を防止するという本発明の目的を実現する。
【０００７】
嵌合物選別体は独立して変位可能な複数の変位部を有し、正規嵌合物でのみ全ての変位部が同時にロック解除位置へ変位することで、可動体を、正規嵌合物より小型の異種嵌合物の場合にロック状態に保持し、正規嵌合物の場合にロックを解除し、正規嵌合物のみを所定位置まで挿入可能とし、正規嵌合物より小型の異種嵌合物の挿入を防止するという本発明の目的を実現する。
【０００８】
挿入口から挿入されたメモリーカードに当接させてカード挿入に追従して移動させるカード排出用の可動体を備えたコネクタ、即ち、カードコネクタにおいては、正規メモリーカードより小型の異種メモリーカードの挿入を防止するという本発明の目的を、メモリーカードの断面形状（幅と高さ）に基づいて変位するカード選別体によって、正規メモリーカードより小型の異種メモリーカードの場合に可動体をカード排出位置にロックし、正規メモリーカードの場合に可動体のロックを解除し、正規メモリーカードのみを所定位置まで挿入可能とする異種カード挿入防止機構を備えることで実現する。
【０００９】
カード選別体は独立して変位可能な複数の変位部を有し、正規メモリーカードでのみ全ての変位部が同時にロック解除位置へ変位することで、正規メモリーカードより小型の異種メモリーカードの場合に可動体をカード排出位置にロックし、正規メモリーカードの場合に可動体のロックを解除し、正規メモリーカードのみを所定位置まで挿入可能とし、正規メモリーカードより小型の異種メモリーカードの挿入を防止するという本発明の目的を実現する。
【００１０】
カードコネクタには、正規メモリーカードが正規挿入姿勢以外の姿勢で誤挿入された時、正規メモリーカードの角落しされていない角部を当接させてそれ以上のカード挿入を防止するカード誤挿入防止体を備え、正規メモリーカードの正規挿入姿勢以外の姿勢での誤挿入によるコンタクトの耐久性低下や破損などを防止することが好ましい。この場合、カード選別体の一つの変位部をカード挿入方向から見てカード誤挿入防止体と重なる位置に配設する構成を採用することによって、正規メモリーカードより小型の異種メモリーカードによってカード選別体の全ての変位部が同時にロック解除位置近くに変位される場合が生じても、この異種メモリーカードの挿入をカード誤挿入防止体によって確実に防止できる。
【００１１】
カードコネクタには、可動体と正規メモリーカードを挿抜方向で係合させるための係合部材を備え、正規メモリーカードをカードセット位置にて保持すると共に、カード排出時、カード挿入口からの正規メモリーカードの脱落を防止することが好ましい。この係合部材は、詳しくは、可動体の凹部から弾力的に突出し、挿入口から挿入された正規メモリーカードが可動体に当接した時、正規メモリーカードに形成された係合溝に係合することで、可動体と正規メモリーカードを挿抜方向で係合させる。
【００１２】
カードコネクタには、可動体と、可動体をカード排出方向に付勢するカード排出バネと、ロック機構とで構成するカード排出機構を備えることが好ましい。さらにロック機構は可動体に形成するカム溝と、カム溝に一端を摺動自在に嵌入させるカムピンとを備え、１回目のカード押込操作でカム溝の係止溝部にカムピンを係止させ、可動体をカードセット位置でロックし、２回目のカード押込操作で係止溝部からカムピンを離脱させ、可動体のロックを解除してカード排出位置に復帰させ、正規メモリーカードの挿入／排出操作を簡単に行えるようにすることが好ましい。所謂、プッシュイン／プッシュアウト型のカード排出機構を備えることが好ましい。
【００１３】
プッシュイン／プッシュアウト型のカード排出機構を備えたカードコネクタについて、カム溝は可動体がカード排出位置にある時にカムピンを位置させる起点溝部と、一回目のカード押込操作で起点溝部から係止溝部にカムピンを導入係止させる往路溝部と、２回目のカード押込操作で係止溝部から起点溝部にカムピンを復帰させる正規復路溝部に加え、係止溝部からカード排出方向に形成して起点溝部に連通させるエスケープ溝を備え、カードセット位置の可動体に保持された正規メモリーカードの無理抜き時、係合部材の退入動作によって係止溝部からカムピンを離脱させて可動体のロックを解除し、カムピンをエスケープ溝から起点溝部に復帰可能として可動体をカード排出位置に復帰させる無理抜き防止機構を備え、カードセット位置の可動体に保持された正規メモリーカードの無理抜きによって、カム溝の係止溝部やカムピンに異常な負荷がかかりこれらが変形し、正規メモリーカードのスムーズな挿抜きを妨げる可動体の動作不良を招いたり、カード排出機構のロック機構が正常に機能しなくなるのを防止することが好ましい。
【発明の効果】
【００１４】
本発明によれば、コネクタについて、正規嵌合物より小型の異種嵌合物の挿入を防止できるため、正規嵌合物より小型の異種嵌合物の挿入によるコンタクトの耐久性低下や破損などを防止することができる。という有利な効果を奏する。
【発明を実施するための最良の形態】
【００１５】
以下、本発明の実施形態を図面に基づいて説明する。図１はメモリーカード未挿入時のカードコネクタの外観を示す斜視図、図２は図１のカードコネクタをカバー除去状態で示す斜視図、図３は正規メモリーカード挿入時のカードコネクタをカバー除去状態で示す斜視図、図４は図３のカードコネクタを正規メモリーカード除去状態で異なる方向から示す斜視図であり、本実施形態のカードコネクタは、図１４にも示す如く、矩形状のボディ底板１の左側縁前部と前側縁中間部を除く側縁にボディ左右及び前後側壁２，３，４，５を垂直に立上げてトレー状に形成した樹脂製で絶縁性を有するボディ６と、図１５及び図１６にも示す如く、一枚の矩形金属板をＵ字状に折曲げて矩形状のカバー天板７の左右側縁にカバー左右側板８，９を垂下形成した板金製で導電性を有するカバー１０とを備え、ボディ６にカバー１０を被せ、ボディ底板１にカバー天板７を対向させ、ボディ６の開放上面を塞ぐと共に、ボディ左右側壁２，３の外面をカバー左右側板８，９で覆い、カバー左側板８でボディ６の左側壁非形成部分を塞ぎ、薄型直方形状のコネクタケース１１を構成する。このコネクタケース１１の前側面にはボディ６の前側壁未形成部分によって、正規嵌合物である正規メモリーカード（本実施形態では「メモリースティック」を正規メモリーカードとして図示している。）１２の断面形状（幅と高さ）に見合った形状（幅と高さ）のカード挿入口１３（スロット）が開口形成され、カード挿入口１３を通して正規メモリーカード１２が挿入可能である。
【００１６】
コネクタケース１１を構成しているボディ６とカバー１０とは、ボディ左右側壁２，３の外面に突出形成する截頭４角錐状の係合突起１４と、カバー左右側板８，９に開口形成して前記係合突起１４を係脱自在に嵌合させる矩形状の係合孔１５とによって、分離可能に結合される。またカバー１０には、カバー左右側板８，９の下縁前後端部から外向きに水平に突出させるケース足片１６が一体形成される。ボディ６には、接触端子であるコンタクト１７が複数本（本実施形態では正規メモリーカード１２のコンタクト数と同数の１０本）左右横並び状態で配備される。各コンタクト１７は導電性に優れた金属製の細長い接触バネ片で構成され、後半部がボディ底板１の内表面に固定され、前半部がカード挿入口１３から奥側のカード挿入経路内に前上がり傾斜姿勢で立上げられ、その上下方向に弾性変位自在な前半部の端部に下方に開いた円弧状の接点部１８が形成される。各コンタクト１７の後端部はボディ後側壁５に左右横並び状態で開口形成された１０個のコンタクト取出口１９からそれぞれボディ６の後外側に突出させる。そして、コネクタケース１１の底部４隅に突出するケース足片１６をプリント基板に半田固定、又は、カシメ部材や締結部材を用いて固定し、またコネクタケース１１の後側面から突出する各コンタクト１７の後端部をプリント基板に半田固定して電気的に接続することによって、コネクタケース１１、即ち、カードコネクタがプリント基板に表面実装される。
【００１７】
本実施形態のカードコネクタにはカード未挿入時にカード挿入口１３を塞ぐ防塵用のシャッターを備えることが好ましい。またケース足片１６をプリント基板のグランドパターンに電気的に接続し、カード挿抜時などの静電気をカバー１０を通してプリント基板のグランドパターンへ逃がし、静電破壊などを防止することが好ましい。
【００１８】
次に、本実施形態のカードコネクタの内部機構について説明する。
まず、カード排出機構について説明すると、カード排出機構は可動体である樹脂製のスライド体２０を備える。スライド体２０は、図１７及び図１８にも示す如く、ボディ６の左右側部に前後方向に設けて対向させる四角柱状の左右側部ブロック２１，２２と、この左右側部ブロック２１，２２の後端間で左右方向に設けて前側面をカード挿入口１３に対向させる四角柱状の後側部ブロックであるカード受止ブロック２３とで構成する前方に開放したコ字形の側部ブロックと、この側部ブロックを表面側に一体形成する矩形状のスライド板２４とで、カード挿入口１３から挿入された正規メモリーカード１１の挿入端部を前側から受入れる嵌合凹部２５を形成するもので、スライド板２４の裏面（スライド体２０の裏面）をボディ底板１の内表面に摺動自在に接合支持させると共に、右側部ブロック２２の外側面（スライド体２０の右外側面）をボディ右側壁３の内側面に摺動自在に接合支持させ、ボディ底板１の内表面左側部に前後方向に形成する段差面であるガイドレール２６とボディ右側壁３に沿ってカード挿抜方向（前後方向）に摺動可能にボディ６の内部に装着され、左右側部ブロック２１，２２の前端面（スライド体２０の前端面）がボディ前側壁４の内面に当接するカード排出位置である初期位置とカード受止ブロック２３の後側面（スライド体２０の後端面）がボディ後側壁５の内面に当接する最押込位置との間で往復移動可能である。
【００１９】
また、カード排出機構は弾性体であるカード排出バネ２７を備える。カード排出バネ２７はコイルバネで構成され、前記スライド体２０の左側部ブロック２１とボディ後側壁５の間と、前記スライド体２０の右側部ブロック２２とボディ後側壁５の間とにそれぞれ張設され、左右２本のカード排出バネ２７によってスライド体２０を常時カード排出方向（前方）へ付勢しており、スライド体２０は、図２に示す如く、カード未挿入時、初期位置に移動保持され、カード挿入口１３から挿入された正規メモリーカード１２の挿入端部を前側から嵌合凹部２５に受入れ、カード受止ブロック２３で受止めることで、正規メモリーカード１２の挿入端面でカード受入ブロック２３の前側面がカード挿入方向（後方）へ押圧され、正規メモリーカード１２の挿入に追従して、図２２に示す如く、前記カード排出バネ２７に抗して最押込位置へ移動する。
【００２０】
前記スライド体２０の後部には、カード受止ブロック２３からスライド板２４の後部にわたるＬ形のコンタクト挿通口２８が１０個左右横並び状態で開口形成されており、スライド体２０の後部が各コンタクト挿通口２８を介して自由状態の各コンタクト１７の前半部を干渉なく通過可能である。
【００２１】
そして、前記スライド体２０とカード排出バネ２７と次に説明するロック機構２９とでプッシュイン／プッシュアウト型のカード排出機構３０を構成する。
【００２２】
前記ロック機構２９は、図４、図５、図１６、図１８、図２４乃至図２６に示す如く、カム溝３１とカムピン３２とで構成される。カム溝３１はスライド体２０の左側面前半部（左側部ブロック２１の外側面前半部）に形成され、カムピン３２は金属製の細長い丸棒の両端を一方向に直角に折曲形成したもので、カード挿入口１３より左側のボディ前側壁４内面に軸受部３３を左右横向きに形成し、この軸受部３３にカムピン３２の一方の折曲端部（カムピン前端）３２ａを外側から挿込み、他方の折曲端部（カムピン後端）３３ｂを前記カム溝３１に外側から嵌入し、カムピン３２をこの後端３２ａを支点に前端３２ｂを上下揺動自在に、ボディ６とスライド体２０の間に架設する。またボディ６の左側壁未形成部分を塞いでいるカバー左側板９から板バネ３４を切起形成し、この板バネ３４によってカムピン３２をボディ６内側（右側）へ常時付勢し、軸受部３３及びカム溝３１からのカムピン３２の抜止めを図ると共に、カムピン後端３２ｂの端面をカム溝３１の溝底に対して離反可能に圧接させる。
【００２３】
前記カム溝３１はこの前端窪み部分に設定される係止溝部３１ｃと、この係止溝部３１ｃから少し斜め前方へ進んだ所で折返して後方へ延びる略上下対称の往路溝部３１ｂ及び正規復路溝部３１ｄと、これら往路溝部３１ｂ及び正規復路溝部３１ｄの後端部を重ねて１つにした起点溝部３１ａとを備え、前後方向に長いハート型の無端状に形成される。またカム溝３１は往路溝部３１ｂの始端部溝深より正規復路溝部３１ｄの終端部溝深を浅く形成し、往路溝部３１ｂの始端部溝底を起点溝部３１ａの溝底に段差を付けずに連結し、他方正規復路溝部３１ｄの終端部溝底を起点溝部３１ａの溝底に段差３１ｅを付けて連結し、カムピン後端３２ｂが起点溝部３１ａから正規復路溝部３１ｄに入込むのを規制すると共に、往路溝部３１ｂの終端部溝底を下り傾斜で係止溝部３１ｃの溝底に段差を付けずに連結し、係止溝部３１ｃの溝底を下り傾斜で正規復路溝部３１ｄの始端部に段差を付けずに連結し、カムピン後端３２ｂが係止溝部３１ｃから往路溝部３１ｂに入込むのを規制する。これによって、カム溝３１内でのカムピン後端３２ｂの逆走が規制され、カムピン後端３２ｂをカム溝３１内で一方向に移動させる。
【００２４】
そして、カムピン後端３２ｂはスライド体２０が初期位置にある時には、図２４に示す如く、起点溝部３１ａに位置し、詳しくは、起点溝部３１ａの中でも、起点溝部３１ａの端部とカムピン後端３２ｂとの間に隙間を生じる所に位置する。正規メモリーカード１２によってスライド体２０を初期位置から最押込位置に移動させる１回目の押込操作を行い、その押込みを解除することによって、起点溝部３１ａから往路溝部３１ｂを移動し、図２５に示す如く、係止溝部３１ｃに導入係止され、図３及び図４に示す如く、スライド体２０を最押込位置より少し手前に設定されるカードセット位置（正規メモリーカード１２の各コンタクトの接点部をコネクタの各コンタクト１７の接点部１８に接触させて電気的に接続する位置）にロックする。また正規メモリーカード１２によってスライド体２０をカードセット位置から最押込位置に移動させる２回目の押込操作を行い、その押込みを解除することによって、係止溝部３１ｃに係止されていたカムピン後端３２ｂは、その係止溝部３１ｃから離脱して正規復路溝部３１ｄに導入され、スライド体２０のロックを解除し、正規復路溝部３１ｄを移動し、図２４に示す如く、起点溝部３１ａに復帰し、図２に示す如く、スライド体２０を初期位置に復帰させる。
【００２５】
このように、プッシュイン／プッシュアウト型のカード排出機構３０は、正規メモリーカード１２の１回目の押込操作によってスライド体２０を初期位置から最押込位置に移動させることで、ロック機構２９を働かせてスライド体２０をカードセット位置にロックし、また正規メモリーカード１２の２回目の押込操作によってスライド体２０をカードセット位置から再び最押込位置に移動させることで、スライド体２０のロックを解除して初期位置に復帰させるものである。
【００２６】
前記カード排出機構３０には、図２及び図２２、図２４乃至図２６に示す如く、スライド体２０と正規メモリーカード１２を挿抜方向で係合させるための係合部材であるセミロック爪３５を備える。セミロック爪３５は凸形状に形成され、中間部に段差面３５ａを有し、前記嵌合凹部２５の一側壁となる左側部ブロック２１の内側面前部に形成された凹部３６に収容配備され、この凹部３６の開口縁に形成してセミロック爪３５の段差面３５ａと突出方向で係合させる内向きのフランジ３６ａと、凹部３６の底面とセミロック爪３５との間に設けてセミロック爪３５を突出方向へ常時付勢するコイルバネ３７とによって、爪全体を凹部３６に退入可能に、段差面３５ａより先の爪先端部を凹部３６から突出保持させる。そして、スライド体２０の嵌合凹部２５に対する正規メモリーカード１２の挿抜時、正規メモリーカード１２の左側面によってセミロック爪３５をコイルバネ３７に抗して凹部３６内に退入させる。正規メモリーカード１２の挿入端面がカード受入ブロック２３の前側面に当接するのと略同時に、正規メモリーカード１２の左側面に形成された係合溝であるセミロック溝３８にセミロック爪３５が対向することで、コイルバネ３７によってセミロック爪３５の先端部を凹部３６からセミロック溝３８内に突出させ、スライド体２０と正規メモリーカード１２を挿抜方向で係合させる。
【００２７】
以上の説明は正規メモリーカード１２が、図３に示す如く、正規挿入姿勢でカード挿入口１３から挿入された場合のもので、図２１に示す如く、正規メモリーカード１２が正規挿入姿勢以外の姿勢でカード挿入口１３から裏挿入や逆挿入など誤挿入された場合の対策として、本実施形態のカードコネクタには、矩形の正規メモリーカード１２の一角部に形成される誤挿入防止用の角落し部３９と、この角落し部３９の下面に形成される誤挿入防止用の切込部４０を用い、誤挿入された正規メモリーカード１２によってスライド体２０が押込まれないようにするためのカード誤挿入防止体４１を備える。
【００２８】
尚、本実施形態における正規メモリーカード１２の正規挿入姿勢とは、図３、図２５及び図２５に示す如く、正規メモリーカード１２のコンタクト接点部が下に向く姿勢で、かつ、このコンタクト接点部からカード挿入口１３に挿入されるカード挿入姿勢を言う。この正規挿入姿勢で正規メモリーカード１２がカード挿入口１３から挿入された場合には、前記角落し部３９が嵌合凹部２５の左奥角部に位置する状態で、正規メモリーカード１２の挿入端部がスライド体２０の嵌合凹部２５に受入れられる。
【００２９】
前記カード誤挿入防止体４１は、図２乃至図４、図１４、図１７及び図１８、図２１乃至図２６に示す如く、正規メモリーカード１２の挿入端面を当接させる可動のカード受止ブロック２３の前側面（スライド体２０のカード受止面）左下角部に部分的に固定のカード受止面４２を形成するもので、スライド体２０の底面にこの嵌合凹部２５の左側後部底面からその後方のカード受止ブロック２３の左下角部を連続的に切欠く切欠き孔４３を形成し、ボディ底板１の内表面でボディ後側壁５から前方に向かって延出されるボディ６のリブであって、初期位置にあるスライド体２０のカード受止ブロック２３の左下角部を前記切欠き孔４３を介して貫通し、前端を初期位置にあるスライド体２０のカード受止ブロック２３の左下角部前側面から所定寸法だけ突出させる前後方向に長い四角柱状のリブによって前記カード誤挿入防止体４１を構成し、ボディ６に一体形成される前記カード誤挿入防止体４１の前端面によって前記固定のカード受止面４２を形成する。スライド体２０の初期位置から最押込位置への移動を許容するように、切欠き孔４３の前後方向の長さはカード誤挿入防止体４１の前後方向の長さより長寸に形成する。
【００３０】
そして、正規メモリーカード１２が正規挿入姿勢でカード挿入口１３から挿入された場合、その挿入端部が初期位置にあるスライド体２０の嵌合凹部２５に受入れられ、挿入端面が角落し部３９やその下面の切込部４０によって固定のカード受止面４２に干渉することなく可動のカード受止ブロック２３の前側面に当接する。またこれと略同時にスライド体２０のセミロック爪３５の先端部が正規メモリーカード１２のセミロック溝３８に係合し、スライド体２０と正規メモリーカード１２とがカード挿抜方向で係合される。この状態でカード挿入口１３から突出している正規メモリーカード１２の端部を押圧操作し、さらに正規メモリーカード１２を挿入すると（１回目の押込操作を行うと）、カード受止ブロック２３の前側面が正規メモリーカード１２の挿入端面で押圧され、正規メモリーカード１２の挿入に追従してスライド体２０が初期位置からカード排出バネ２７に抗してカード挿入方向へ移動する。この時、正規メモリーカード１２の挿入及びそれによるスライド体２０のカード挿入方向への移動に伴って、カード受止ブロック２３の前側面からのカード誤挿入防止体４１の突出量は増して行くが、このカード誤挿入防止体４１の突出部は正規メモリーカード１２の角落し部３９の下面の切込部４０に嵌込まれて行き、正規メモリーカード１２の挿入を全く規制しないため、スライド体２０は最押込位置まで移動する。スライド体２０が最押込位置に移動した時点で正規メモリーカード１２の挿入を止めると（１回目の押込みを解除すると）、図３に示す如く、スライド体２０は前記ロック機構２９の働きによって最押込位置より少し手前のカードセット位置にてボディ６に対してロックされ、正規メモリーカード１２をカードセット位置に挿入保持し、正規メモリーカード１２のコンタクト接点部をコネクタの各コンタクト１７の接点部１８に接触保持させ、電気的に接続させる。
【００３１】
正規メモリーカード１２がカードセット位置に挿入保持されている状態で、カード挿入口１３から突出している正規メモリーカード１２の突出端部を押圧し、再び正規メモリーカード１２の挿入を行うと（２回目の押込操作が行うと）、カード受止ブロック２３の前側面が正規メモリーカード１２の挿入端面で押圧され、正規メモリーカード１２の挿入に追従してスライド体２０がカードセット位置からカード排出バネ２７に抗してカード挿入方向へ移動し、最押込位置に移動する。スライド体２０が再び最押込位置に移動した時点で正規メモリーカード１２の挿入を止めると（２回目の押込みを解除すると）、スライド体２０はロックが解除されて最押込位置からカード排出バネ２７によってカード排出方向へ移動し、初期位置に復帰し、正規メモリーカード１２の排出が行われる。このカード排出によって正規メモリーカード１２はカード挿入口１３から押出されるが、挿入端部は初期位置に復帰したスライド体２０の嵌合凹部２５に挿入保持されたままで、正規メモリーカード１２はカード挿入口１３から脱落することなく、カード挿入口１３に保持される。カード排出後はカード挿入口１３から突出している正規メモリーカード１２の端部を把持し、初期位置に復帰したスライド体２０の嵌合凹部２５から正規メモリーカード１２の挿入端部を引抜くことで、セミロック爪３５の先端部が正規メモリーカード１２のセミロック溝３８から離脱し、スライド体２０と正規メモリーカード１２とのカード挿抜方向での係合が解除され、カード挿入口１３から抜取ることができる。
【００３２】
正規メモリーカード１２が、図２１に示す如く、正規挿入姿勢以外の姿勢でカード挿入口１３から誤挿入された場合、その挿入端部は初期位置にあるスライド体２０の嵌合凹部２５に受入れられるが、正規メモリーカード１２の角落し部３９以外の角落しされていない角部が固定のカード受止面４２に当接し、それ以上の正規メモリーカード１２の誤挿入が規制されるため（スライド体２０の１回目の押込操作が規制されるため）、スライド体２０は初期位置から移動しない。またセミロック爪３５とセミロック溝３８との係合も行われず、誤挿入された正規メモリーカード１２をスライド体２０にカード挿抜方向で係合することもない。従って、正規挿入姿勢以外の姿勢でカード挿入口１３から誤挿入された正規メモリーカードによってスライド体２０が最押込位置に移動し、ロック機構２９を働かせて誤挿入された正規メモリーカード１２をカードセット位置に挿入保持してしまうのを防止できると共に、その誤挿入された正規メモリーカード１２により各コンタクト１７の耐久性低下や破損を招くのを防止できる。また誤挿入された正規メモリーカード１２をカードセット位置に挿入保持しないため、正規メモリーカード１２の誤挿入をオペレータに確実に認識させることができる点でも効果的である。
【００３３】
ところで、前記カード挿入口１３では正規嵌合物である正規メモリーカード１２より大型の異種嵌合物（幅と高さのうち何れか一方でも正規嵌合物より大きい嵌合物）の挿入は防止できるが、正規メモリーカード１２より小型の異種嵌合物である異種メモリーカードの挿入は防止できず、前記カード挿入口１３からは正規メモリーカード１２だけでなく、それより小型の異種メモリーカードも挿入可能となる。この異種メモリーカードがカード挿入口１３から挿入された場合の対策として、本実施形態のカードコネクタには、異種メモリーカードが各コンタクト１７に接触する位置まで挿入され、各コンタクト１７の耐久性低下や破損を招くのを防止するための異種嵌合物挿入防止機構である異種カード挿入防止機構４４を備える。本実施形態では、正規メモリーカード１２より幅と高さが共に小さい小型の異種嵌合物である第１の異種メモリーカード４５として「メモリースティックＤｕｏ」を図示し、加えて正規メモリーカード１２と略同じ幅を有し高さが小さい第２の異種メモリーカード４６も図示する。
【００３４】
前記異種カード挿入防止機構４４はカード挿入口１３から挿入された嵌合物であるメモリーカードの断面形状（メモリーカードのカード挿抜方向と直交する断面形状、即ち、メモリーカードの幅と高さ）に基づいてそのメモリーカードの正規／異種を判別するカード選別機能と、カード挿入口１３から挿入されたメモリーカードの正規／異種の判別に基づいてスライド体２０をロック解除／ロック状態とするロック機能とを有するカード選別体４７を備える。カード選別体４７は、図２、図４乃至図７、図９乃至図１３、図１９及び図２０に示す如く、長手側が正規メモリーカード１２の幅方向に沿う一枚の帯状金属板からなるカード選別板４８を備える。カード選別板４８の両端部を上向きに折曲げ、カード選別板４８の両端部に正規メモリーカード１２の幅方向で対向する左右一対の側部板バネ４９ａ，４９ｂを形成すると共に、カード選別板４８の中央部に所定の間隔を設けて下膨らみの平行リブ５０ａ，５０ｂを形成し、２本のリブ５０ａ，５０ｂ間のカード選別板４８中央部に平坦な中央ベース板５１を形成し、また各リブ５０ａ，５０ｂから側部板バネ４９ａ，４９ｂの基端（下端）折曲げ部までのカード選別板４８の両側部に、リブ５０ａ，５０ｂから側部板バネ４９ａ，４９ｂの基端折曲げ部に向かって上り傾斜を付け、カード選別板４８の両側部に左右一対の底部板バネ５２ａ，５２ｂを形成し、左側部板バネ４９ａと左底部板バネ５２ａによってカード選別板４８の左側部にカード挿入方向から見て略Ｌ形の左変位部５３ａを形成し、右側部板バネ４９ｂと右底部板バネ５２ｂとによってカード選別板４８の右側部にカード挿入方向から見て前記左変位部５３ａと左右対称の右変位部５３ｂを形成し、自由状態における左右側部板バネ４９ａ，４９ｂの相対間隔を正規メモリーカード１２の幅寸法より所定寸法だけ小さく形成すると共に、その基端側部の相対間隔より自由端部側の相対間隔がより小さくなるように形成する。即ち、左右側部板バネ４９ａ，４９ｂの基端側部を自由端側部より幅方向外側に張出形成する。さらに左右側部板バネ４９ａ，４９ｂの前縁（カード受入れ側の側縁）には前方に向かって幅方向外側に開拡するカード受入れ用の左右一対の側部ガイド片５４ａ，５４ｂが突出形成され、左右底部板バネ５２ａ，５２ｂの前縁（カード受入れ側の側縁）には前下がり傾斜状のカード受入れ用の左右一対の底部ガイド片５５ａ，５５ｂが突出形成される。
【００３５】
前記カード選別板４８をスライド体２０の嵌合凹部２５に装着し、この嵌合凹部２５の左右中央部（正規メモリーカード１２の幅方向中央部）に中央ベース板部５１を接合支持させ、嵌合凹部２５の底部左右側部に左右底部板バネ５２ａ，５２ｂを上下方向（正規メモリーカード１２の高さ方向）に弾性変位自在に支持すると共に、嵌合凹部２５の左右側部で左右側部板バネ４９ａ，４９ｂを左右方向（正規メモリーカード１２の幅方向）に弾性変位自在に対向支持させるもので、図５及び図１７に示す如く、中央ベース板５１の左端部から左底部板バネ５２ａ及び左底部ガイド片５５ａに対向する嵌合凹部２５の底面に前記切欠き孔４３の前端に連通させる左切欠き孔５６ａを形成すると共に、中央ベース板５１の右端部から右底部板バネ５２ｂ及び右底部ガイド片５５ｂに対向する嵌合凹部２５の底面に右切欠き孔５６ｂを形成し、前記左右切欠き孔５６ａ，５６ｂ間の嵌合凹部２５の底面を他の底面よりカード選別板４８の板厚分だけ凹める選別板装着溝５７を形成し、中央ベース板５１をこの表面（上面）が嵌合凹部２５の底面と面一になるように嵌合凹部２５の底面に選別板装着溝５７を介して接合支持させ、カード未挿入時、自由状態における左右底部板バネ５２ａ，５２ｂを左右切欠き孔５６ａ，５６ｂから嵌合凹部２５の底部左右側部に突出させ、左右底部ガイド片５４ａ，５４ｂの前端を左右切欠き孔５６ａ，５６ｂ内に臨ませる。また左側部板バネ４９ａ及び左側部ガイド片５４ａに対向する嵌合凹部２５の左側壁面（左側部ブロック２１の内側面）に下端を前記左切欠き孔５６ａの左端部に臨ませる左凹部５８ａを形成すると共に、右側部板バネ４９ｂ及び右側部ガイド片５４ｂに対向する嵌合凹部２５の右側壁面（右側部ブロック２２の内側面）に下端を前記右切欠き孔５６ｂの右端部に臨ませる右凹部５８ｂを形成し、カード未挿入時、自由状態における左右側部板バネ４９ａ，４９ｂを嵌合凹部２５の左右側壁面よりさらに内側で対向させ、左右側部ガイド片５４ａ，５４ｂの前端を左右凹部５８ａ，５８ｂ内に臨ませる。
【００３６】
また、前記左右変位部５３ａ，５３ｂの端部、即ち、左右側部板バネ４９ａ，４９ｂの自由端部には、この端部から幅方向外側に折曲げ延出させて形成する左右一対の可動係合片５９ａ，５９ｂを備える。左右可動係合片５９ａ，５９ｂはこの先端部より基端折曲げ部を高位に形成し、図１、図５、図１５及び図１６に示す如く、自由状態の左右変位部５３ａ，５３ｂによって左右係合片５９ａ，５９ｂの先端部をカバー天板７の内面に押当て、その基端折曲げ部を突入させる左右スライド窓６０ａ，６０ｂを、前記カバー天板７にスライド体２０の移動に伴う左右可動係合片５９ａ，５９ｂの移動範囲に開口形成する。さらに、スライド体２０が初期位置にある時に左右可動係合片５９ａ，５９ｂの基端折曲げ部が突入する左右スライド窓６０ａ，６０ｂの前部を除いて、この左右スライド窓６０ａ，６０ｂの内側縁から下向きに切起形成する左右一対の固定係合片６１ａ，６１ｂを備える。この左右固定係合片６１ａ，６１ｂの未形成部分となる左右スライド窓６０ａ，６０ｂの前端ノッチ部に左右可動係合片５９ａ，５９ｂの基端折曲げ部を自由状態の左右左変位部５３ａ，５３ｂによって突入保持し、スライド体２０の初期位置からのカード挿入方向への移動を左右可動係合片５９ａ，５９ｂと左右固定係合片６１ａ，６１ｂとの係合（干渉）によって規制し、スライド体２０を初期位置にロックする。尚、前記左右凹部５８ａ，５８ｂの上部には左右可動係合片５９ａ，５９ｂを収容可能な深さを有する深溝６２ａ，６２ｂを形成する。
【００３７】
そして、図５乃至図７に示す如く、正規メモリーカード１２がカード挿入口１３から挿入された場合その挿入端部が、異種カード挿入防止機構４４によって初期位置にロックされているスライド体２０の嵌合凹部２５に受入れられ、その嵌合凹部２５に装着されているカード選別板４８の左右底部板バネ５２ａ，５２ｂの上面に左右底部ガイド片５５ａ，５５ｂｂを介して乗上げてこれを通過すると同時に、左右側部板バネ４９ａ，４９ｂの間に左右側部ガイド片５４ａ，５４ｂを介して割込んでこれを通過し、カード選別板４８の内側に嵌合される。このカード選別板４８の内側に嵌合された正規メモリーカード１２の挿入端部の断面形状（幅と高さ）によって、カード選別板４８を幅方向外側に押広げて、左右変位部５３ａ，５３ｂをそれぞれこの基端部の左右のリブ５０ａ，５０ｂを支点に押下げる（下方に揺動変位させる）。これによって、左右側部板バネ部４９ａ，４９が嵌合凹部２５の左右側壁面の左右凹部５８ａ、５８ｂ内に退入し、正規メモリーカード１２の左右側面下部を左右両側から挟持し、左右底部板バネ５２ａ，５２ｂが正規メモリーカード１２の下面に接触する水平姿勢を超えて、その下面から離反する傾斜姿勢（自由状態の時と逆向きの傾斜姿勢）で嵌合凹部２５底面の左右切欠き孔５６ａ，５６ｂ内に退入する。この左右変位部５３ａ，５３ｂの変位によって、左右変位部５３ａ，５３ｂの自由端部の位置が幅方向外側に変位しながら下がるため、左右変位部５３ａ，５３ｂの自由端部から延出形成された左右可動係合片５９ａ，５９ｂが幅方向外側に変位しながら下り、左右深溝６２ａ，６２ｂ内に退入し、左右可動係合片５９ａ，５９ｂの先端部がカバー天板７の内面から離反し、基端折げ部が左右スライド窓６０ａ，６０ｂの前端ノッチ部から抜出て左右固定係合片６１ａ，６１ｂから下側に外れる位置に変位する。これによって、異種カード挿入防止機構４４によるスライド体２０の初期位置でのロックが解除され、そのロック解除状態が正規メモリーカード１２の挿入端部が嵌合凹部２５に受入れられている間保持され、前記スライド体２０が動作可能となり、正規メモリーカード１２のカードセット位置への挿入及びその位置からの排出を行うことができる。また正規メモリーカード１２がカード挿入口１３から抜取られ、初期位置に復帰したスライド体２０の嵌合凹部２５から正規メモリーカード１２の挿入端部が引抜かれると、カード選別板４８の左右変位部５３ａ，５３ｂは元の自由状態に復帰し、スライド体２０を再び初期位置にロックする。
【００３８】
尚、図１４及び図２２に示す如く、スライド体２０が最押込位置に移動した時、前記左底部板バネ５２ａを収容している左切欠き孔５６ａ内に切欠き孔４３からカード誤挿入防止体４１の先端部が突入するが、そのカード誤挿入防止体４１の先端部には左底部板バネ５２ａとの干渉を回避するための切欠き６３が形成されており、スライド体２０は初期位置から最押込位置まで移動可能である。また図５及び図１４に示す如く、嵌合凹部２５底面の左右切欠き孔５６ａ，５６ｂ内に最も深く入込む左右底部板バネ５２ａ，５２ｂの自由端部（左右変位部５３ａ，５３ｂの折曲げ部）に対向するボディ底面１に左右切欠き孔６４ａ，６４ｂを、スライド体２０の移動に伴う左右底部板バネ５２ａ，５２ｂの自由端部の移動範囲に開口形成し、左右底部板バネ５２ａ，５２ｂの自由端部がボディ底面１に摺接し、円滑なスライド体２０の動作（正規メモリーカード１２の挿抜き）が阻害されるのを防止する。
【００３９】
図８及び図９に示す如く、第１の異種メモリーカード４５がカード挿入口１３から挿入され、その挿入端部が異種カード挿入防止機構４４によって初期位置にロックされているスライド体２０の嵌合凹部２５に受入れられた場合、その嵌合凹部２５に装着されているカード選別板４８の内側に第１の異種メモリーカード４５の挿入端部が嵌合されるが、この嵌合凹部２５に嵌合された第１の異種メモリーカード４５の幅と高さが共に正規メモリーカード１２の幅と高さより小さいため、カード選別板４８を幅方向外側に押広げて、左右変位部５３ａ，５３ｂをそれぞれこの基端部の左右のリブ５０ａ，５０ｂを支点に押下げることができないため、異種カード挿入防止機構４４によるスライド体２０の初期位置でのロックは解除されず、例え、第１の異種メモリーカード４５の挿入端面でスライド体２０のカード受止ブロック２３の前側面を押圧しても、カード選別板４８の左右可動係合片５９ａ，５９ｂとコネクタケース１１の左右固定係合片６１ａ，６１ｂとの係合によって、スライド体２０はカード挿入方向に移動することなく初期位置に保持される。
【００４０】
また、図１０及び図１１に示す如く、カード選別板４８の内側に第１の異種メモリーカード４５の挿入端部が嵌合された状態で、その第１の異種メモリーカード４５を下方に押付けた場合、第１の異種メモリーカード４５の下面で自由状態の左右底部板バネ５２ａ，５２ｂが水平姿勢に押下げられるだけで、左右可動係合片５９ａ，５９ｂを左右固定係合片６１ａ，６１ｂから外すのに必要な左右変位部４３ａ，４３ｂの変位量は得られず、この場合も異種カード挿入防止機構４４によるスライド体２０の初期位置でのロックは解除されない。この場合、左右可動係合片５９ａ，５９ｂと左右固定係合片６１ａ，６１ｂとの係合代が少なくなるが、カード選別板４８の左側の変位部５３ａは前記カード誤挿入防止体４１の前側で、嵌合凹部２５の左下角部に配設され、カード挿入方向から見て前記カード誤挿入防止体４１と重なる位置に配設され、第１の異種メモリーカード４５を挿入しようとしてもカード誤挿入防止体４１と干渉するので、スライド体２０はカード挿入方向に移動することはなく初期位置に確実に保持される。またカード選別板４８の内側に第１の異種メモリーカード４５の挿入端部が嵌合された状態で、その第１の異種メモリーカード４５を下方に押付けながら、左右何れか一側に片寄せた場合（正規メモリーカード１２と略同じ高さを有し幅のみが小さい異種嵌合物である異種メモリーカードがカード挿入口１３から挿入された場合と同じ）も、少なくとも左右何れか一側の変位部４３ａ又４３ｂについて、変位しないか変位量が不足するため、異種カード挿入防止機構４４によるスライド体２０の初期位置でのロックは解除されない。
【００４１】
さらに、図１２及び図１３に示す如く、第２の異種メモリーカード４６がカード挿入口１３から挿入され、その挿入端部が異種カード挿入防止機構４４によって初期位置にロックされているスライド体２０の嵌合凹部２５に受入れられ、その嵌合凹部２５に装着されているカード選別板４８の内側に嵌合された状態で、第２の異種メモリーカード４６を下方に押付けても、この嵌合凹部２５に嵌合された第２の異種メモリーカード４６の高さが正規メモリーカード１２の高さより小さいため、左右側部板バネ部４９ａ，４９は幅方向外側に変位するものの、第２の異種メモリーカード４６の左右側面上部を左右両側から挟持するようになり、第１の異種メモリーカード４６の場合と同様に、左右底部板バネ５２ａ，５２ｂが水平姿勢に押下げられるだけで、左右可動係合片５９ａ，５９ｂを左右固定係合片６１ａ，６１ｂから外すのに必要な左右変位部４３ａ，４３ｂの変位量は得られず、この場合も異種カード挿入防止機構４４によるスライド体２０の初期位置でのロックは解除されない。また左右可動係合片５９ａ，５９ｂと左右固定係合片６１ａ，６１ｂとの係合代が少なくなるが、第２の異種メモリーカード４６を挿入しようとしても、第１の異種メモリーカード４６の場合と同様に、カード誤挿入防止体４１と干渉するので、スライド体２０はカード挿入方向に移動することはなく初期位置に確実に保持される。
【００４２】
このように、前記カード挿入口１３で正規嵌合物である正規メモリーカード１２より大型の異種嵌合物の挿入を防止し、前記カード挿入口１３から挿入可能な正規メモリーカード１２より小形の異種嵌合物である第１、第２の異種メモリーカード４５，４６の挿入を異種嵌合物挿入防止機構である異種カード挿入防止機構４４によって防止することにより、正規メモリーカード１２のみをカードセット位置に挿入可能とし、各コンタクト１７の耐久性低下や破損を招くのを防止できる。また前記カード選別板４８は正規メモリーカード１２をカードセット位置において左右外側から挟持し、かつ、上方に付勢し、正規メモリーカード１２の左右及び上下方向の位置決め行うため、カードセット位置での正規メモリーカード１２の保持安定性を高め、正規メモリーカード１２の各コンタクトとカードコネクタの各コンタクト１７の接触安定性も高める。
【００４３】
また、前記カード選別体４７はカード選別板４８に加え、図２、図４、図１９及び図２０に示す如く、長手側が正規メモリーカード１２の幅方向に沿う一枚の帯状金属板からなるカード導入板６５と、このカード導入板６５にカード選別板４８を一体連結する連結板６６とを備える。前記カード導入板６５の両端部を向きに折曲げ、カード導入板６５の両端部に正規メモリーカード１２の幅方向で対向する左右一対の側板６７ａ，６７ｂを形成すると共に、この左右側板６７ａ，６７ｂの上部を下向きに曲返し、カード導入板６５の両端部にフック６８ａ，６８ｂを形成し、左右側板６７ａ，６７ｂの相対間隔を嵌合凹部２５の左右側壁面の相対間隔（嵌合凹部２５の幅）と同寸に形成する。さらにカード導入板６５の前縁（カード受入れ側の側縁）中央部には前下がり傾斜状で幅広のカード受入れ用の底部ガイド片６９を形成する。そして、左右側板６６ａ，６６ｂ間のカード導入板６５の後縁中央部とカード選別板４８の中央ベース板５１前縁中央部とを連結板６６を介して一体連結し、カード導入板６５をカード選別板４８の前側に（カード受入れ側に）平行に、カード挿入方向から見てカード選別板４８と略重なる姿勢で一体連結し、左右側板６６ａ，６６ｂ間のカード導入板６５及び連結板６６、カード選別板４８の中央ベース板５１を面一に連設させる。即ち、カード選別体４７は平面視Ｈ形状の一枚の金属板にて、カード選別板４８、カード導入板６５及び連結板６７を一体形成する。
【００４４】
そして、カード導入板６５が嵌合凹部２５前端部（カード受入れ端部）に装着されるように、カード選別体４７を嵌合凹部２５に装着し、前記カード選別板４８を嵌合凹部２５の長さ方向中間部に装着させるもので、図１７に示す如く、左右側部ブロック２１，２２の前端部上面にカード導入板６５の左右フック６８を嵌込む左右フック溝７０ａ，７０ｂを形成すると共に、前記選別板装着溝５７を、カード導入板６５の左右側板６７ａ，６７ｂ及びこの間のカード導入板６５、前記連結板６６が接合する嵌合凹部２５の左右側壁面（左右側部ブロック２１，２２の内側面）及び底面に拡張形成し、その選別板装着溝５７の左右端部を前記左右フック溝７０ａ，７０ｂに連設させ、カード導入板６５の左右フック６８ａ，６８ｂをスライド体２０の左右フック溝７０ａ，７０ｂに嵌込み、カード導入板６５の左右側板６７ａ，６７ｂをこの表面（内側面）が嵌合凹部２５の左右側壁面と面一になるように嵌合凹部２５の左右側壁面に選別板装着溝５７を介して接合支持させ、また左右側板６７ａ，６７ｂ間のカード導入板６５及び前記連結板６６をこの表面（上面）が嵌合凹部２５の底面と面一になるように嵌合凹部２５の底面に選別板装着溝５７を介して接合支持させ、前記底部ガイド片６９を嵌合凹部２５の底面中央部から前方に向けて前下がり傾斜状態で突出させ、これらカード導入板６５及び連結板６６を介してカード選別板４８を前述のように嵌合凹部２５の長さ方向中間部に係止する。即ち、カード選別体４７をスライド体２０の嵌合凹部２５に係止装着する。尚、カード挿入口１３の下縁中央部にはスライド体２０が初期位置に移動時、底部ガイド片６９を嵌入させる切欠き部７１を形成する。
【００４５】
前記カード選別体４７の本体であるカード選別板４８はスライド体２０の嵌合凹部２５の受入れ口に装着しても良いが、長さ方向中間部に装着することによって、カード挿入口１３から挿入された正規メモリーカード１２の挿入端部が、初期位置にあるスライド体２０の嵌合凹部２５にある程度挿入されて、この正規メモリーカード１２の挿入姿勢の傾きなどが規制された時点で、カード選別板４８に対して嵌合するようになるため、正規メモリーカード１２の挿抜きをスムーズに行える。またカード選別板４８はそれだけでスライド体２０の嵌合凹部２５に装着可能であるが、上記のようにカード導入板６５及び連結板６６を介してカード選別板４８を嵌合凹部２５の長さ方向中間部に装着することによって、嵌合凹部２５受入れ口のガイド片６９表面からカード選別板４８の中央ベース板５１表面に連続する一連の平坦面が形成されるため、カード選別板４８を嵌合凹部２５の長さ方向中間部に装着しても、正規メモリーカード１２の挿抜きをスムーズに行える。さらにカード選別板４８はカード導入板６５及び連結板６６を介してスライド体２０の嵌合凹部２５に係止されるため、カードコネクタの組立時、カード選別板４８の組付けを簡単に行えるので効果的である。
【００４６】
最後に、メモリーカードの無理抜き防止機構について説明する。
カードコネクタについては、メモリーカードをカードセット位置に挿入保持する特定の機構、例えば、各種カード排出機構（イジェクト機構）が必要であるが、カードセット位置に挿入保持されているメモリーカード１２が無理抜きされた場合、その特定機構に異常な負荷がかかりこれを破損させるおそれがあった。このような問題を解決するための無理抜き防止機構を提供する。この無理抜き防止機構は、カードセット位置に挿入保持されているメモリーカードが無理抜きされた時に特定機構に働く負荷で、その特定機構によるメモリーカード１２のカードセット位置での挿入保持を強制的に解除し、特定機構の破損を防止する。特に、プッシュイン／プッシュアウト型やその他型式のカード排出機構によってメモリーカードをカードセット位置に挿入保持するカードコネクタについては、メモリーカードの挿入に追従して移動する可動体に対してそのメモリーカードを弾力的に係止する係止部材が備えられ、この係止部材が、カードセット位置に挿入保持されているメモリーカードが無理抜きされた時には付勢力に抗して係止解除方向に動作するため、無理抜き防止機構は、この動作を利用してカード排出機構によるメモリーカードのカードセット位置での挿入保持を強制的に解除し、可動体を初期位置に自動復帰させ、カード排出機構の破損を防止する。このような無理抜き防止機構が本実施形態のカードコネクタにも備えられる。
【００４７】
本実施形態のようにプッシュイン／プッシュアウト型のカード排出機構３０を備えたカードコネクタの無理抜き防止機構７２は、図２４乃至図２６に示す如く、前記カム溝３１の係止溝部３１ｃからカード排出方向に形成して起点溝部３１ａに連通させるエスケープ溝７３を備え、スライド体２０によってカードセット位置に挿入保持された正規メモリーカード１２の無理抜き時、セミロック爪３５の退入動作によって係止溝部３１ｃからカムピン後端３２ｂを離脱させてスライド体２０のロックを強制的に解除し、カムピン後端３２ｂをエスケープ溝７３から起点溝部３１ａに復帰可能としてスライド体２０をカード排出位置に自動復帰させる。
【００４８】
詳しくは、前記エスケープ溝７３は、図１８にも示す如く、往路溝部３１ｂと係止溝部３１ｃと正規復路路溝部３１ｂとで囲われるカム溝３１中央部の島部７４にカード挿抜方向に形成されると共に、溝深さが各溝部３１ｂ，３１ｃ，３１ｄより浅く形成され、前端を係止溝部３１ｃの係止溝壁７５上部を破ってその係止溝部３１ｃに連通させ、後端を正規復路路溝部３１ｂとの間の段差３１ｅよりさらに高い段差７６を付けて往路溝部３１ｂの始端部に連通させる。またセミロック爪３５の退入動作によって係止溝部３１ｃからカムピン後端３２ｂを離脱させるための１本の突出しピン７７を備えると共に、スライド体２０によってカードセット位置に挿入保持された正規メモリーカード１２の無理抜き時、前記突出しピン７７によって、セミロック爪３５の退入動作を利用して係止溝部３１ａからカムピン後端３２ｂを離脱させてスライド体２０のロックを強制的に解除するために、セミロック爪３５に対してこの退入動作方向にカム溝３１を配備し、またセミロック爪３５の真後ろに係止溝部３１ｃが配備されるようにカム溝３１を形成する。即ち、本実施形態ではスライド体２０の嵌合凹部２５一側壁面となる左側部ブロック２１の内側面の前部にセミロック爪３５を収容配備する凹部３６が形成されるので、スライド体２０の左側面の前部（左側部ブロック２１の外側面前部）にカム溝３１を形成し、セミロック爪３５の退入動作方向で、かつ、真後ろにカム溝３１の係止溝部３１ｃを配備する。そして、突出しピン７７をセミロック爪３５の中心にこの進退方向に沿って植設固定し、その一端側を凹部３６の底面に対向するセミロック爪３５の底面中心部から突出させると共に、凹部３６の底面から係止溝壁７５に係合時のカムピン後端３２ｂの端面が対向する係止溝部３１ｃの溝底に前記突出しピン７７を貫通させる貫通孔７８を形成し、セミロック爪３５の突出時に突出しピン７７を係止溝部３１ｃの溝底より退入保持し、セミロック爪３５の退入動作によって突出しピン７７を係止溝部３１ｃの溝底より突出させるように構成する。これによって、初期位置にあるスライド体２０の嵌合凹部２５に対する正規メモリーカード１２の挿抜き、並びに、正規メモリーカード１２のカードセット位置への挿入及び挿入保持と正規メモリーカード１２のカードセット位置からの排出を支障なく行え、図２６に示す如く、スライド体２０によってカードセット位置に挿入保持された正規メモリーカード１２が無理抜きされた場合には、セミロック爪３５の退入動作によって係止溝部３１ｃの溝底より突出する突出しピン７７が、その係止溝部３１ｃに係合しているカムピン後端３２ｂを板バネ３４に抗して係止溝壁７５より高く突上げる。この結果、スライド体２０のカードセット位置から初期位置への移動規制がなくなり、スライド体２０のカードセット位置でのロックが解除されるため、スライド体２０はカード排出バネ２７の付勢力によってカード排出方向へ移動し、これに伴ってカムピン後端３２ｂは係止溝部３１ｃから離脱して直接エスケープ溝７３に導入されてこの溝を移動通過して起点溝部３１ａに移動するため、スライド体２０は初期位置に自動復帰する。このため、スライド体２０によってカードセット位置に挿入保持された正規メモリーカード１２が無理抜きされても、カム溝３１の係止溝部３１ｃやカムピン３２には異常な負荷がかからず、これらが変形して正規メモリーカード１２のスムーズな挿抜きを妨げるスライド体２０の動作不良を招いたり、カード排出機構３０のロック機構２９が正常に機能しなくなるのを防止できる。
【００４９】
尚、セミロック爪３５と係止溝部３１ｃとの間に上記のような位置関係が得られない場合でも、前記突出しピン７７に代えて適当な動作伝達部材を組込むことによって、上記と同様の作用効果を得ることができる。
【００５０】
また、前記無理抜き防止機構７２はプッシュイン／プッシュアウト型のカード排出機構３０を備えたカードコネクタに備えることによって、カード排出機構３０を本来のプッシュイン／プッシュアウト型として使用できる他、プッシュイン／プルアウト型としても使用できる新たな型式のカード排出機構を構成できる。この新たな型式のカード排出機構は、メモリーカードを押込操作することによってこれを排出するという、プッシュイン／プッシュアウト型の操作違和感をなくし、不慣れなオペレータにとっては使い勝手の面で有効である。
【００５１】
以上から明らかなように、正規嵌合物１２より小型の異種嵌合物４５，４６の挿入を防止するため、挿入口１３から挿入された嵌合物１２，４５，４６の断面形状（幅と高さ）に基づいて正規嵌合物１２のみを所定位置まで挿入可能とする異種嵌合物挿入防止機構４４を備えたことで、正規嵌合物１２より小型の異種嵌合物４５，４６の挿入を防止できるため、正規嵌合物１２より小型の異種嵌合物４５，４６の挿入によるコンタクト１７の耐久性低下や破損などを防止できる。
【００５２】
異種嵌合物挿入防止機構４４は挿入口１３から挿入された嵌合物１２，４５，４６を当接させる可動体２０を、嵌合物１２，４５，４６の断面形状に基づいて変位する嵌合物選別体４７（４８）によって、正規嵌合物１２より小型の異種嵌合物４５，４６の場合にロック状態に保持し、正規嵌合物１２の場合にロックを解除することで、挿入口１３から挿入された嵌合物１２，４５，４６の断面形状（幅と高さ）に基づいて、正規嵌合物１２のみを所定位置まで挿入可能とし、正規嵌合物１２より小型の異種嵌合物４５，４６の挿入を防止できる。
【００５３】
嵌合物選別体４７（４８）は独立して変位可能な複数の変位部５３ａ，５３ｂを有し、正規嵌合物１２でのみ全ての変位部５３ａ，５３ｂが同時にロック解除位置へ変位することで、可動体２０を、正規嵌合物１２より小型の異種嵌合物４５，４６の場合にロック状態に保持し、正規嵌合物１２の場合にロックを解除し、正規嵌合物１２のみを所定位置まで挿入可能とし、正規嵌合物１２より小型の異種嵌合物４５，４６の挿入を防止できる。
【００５４】
挿入口１３から挿入されたメモリーカード１２に当接させてカード挿入に追従して移動させるカード排出用の可動体２０を備えたコネクタ、即ち、カードコネクタにおいては、メモリーカード１２の断面形状（幅と高さ）に基づいて変位するカード選別体４７（４８）によって、正規メモリーカード１２より小型の異種メモリーカード４５，４６の場合に可動体２０をカード排出位置にロックし、正規メモリーカード１２の場合に可動体２０のロックを解除し、正規メモリーカード１２のみを所定位置まで挿入可能とする異種カード挿入防止機構４４を備えることで、正規メモリーカード１２より小型の異種メモリーカード４５，４６の挿入を防止することができるため、正規嵌合物１２より小型の異種嵌合物４５，４６の挿入によるコンタクト１７の耐久性低下や破損などを防止できる。
【００５５】
カード選別体４７（４８）は独立して変位可能な複数の変位部５３ａ，５３ｂを有し、正規メモリーカード１２でのみ全ての変位部５３ａ，５３ｂが同時にロック解除位置へ変位することで、正規メモリーカード１２より小型の異種メモリーカード４５，４６の場合に可動体２０をカード排出位置にロックし、正規メモリーカード１２の場合に可動体２０のロックを解除し、正規メモリーカード２０のみを所定位置まで挿入可能とし、正規メモリーカード１２より小型の異種メモリーカード４５，４６の挿入を防止できる。
【００５６】
カードコネクタには、正規メモリーカード１２が正規挿入姿勢以外の姿勢で誤挿入された時、正規メモリーカード１２の角落しされていない角部を当接させてそれ以上のカード挿入を防止するカード誤挿入防止体４１を備えることで、正規メモリーカード１２の正規挿入姿勢以外の姿勢での誤挿入によるコンタクト１７の耐久性低下や破損などを防止できる。この場合、カード選別体４７（４８）の一つの変位部５３ａをカード挿入方向から見てカード誤挿入防止体４１と重なる位置に配設する構成を採用することによって、正規メモリーカード１２より小型の異種メモリーカード４５，４６によってカード選別体４７（４８）の全ての変位部５３ａ，５３ｂが同時にロック解除位置近くに変位される場合が生じても、この異種メモリーカード４５，４６の挿入をカード誤挿入防止体４１によって確実に防止できる。
【００５７】
カードコネクタには、可動体２０と正規メモリーカード１２を挿抜方向で係合させるための係合部材３５を備えることで、正規メモリーカード１２をカードセット位置にて挿入保持すると共に、カード排出時、カード挿入口１３からの正規メモリーカード１２の脱落を防止できる。この係合部材３５は、詳しくは、可動体２０の凹部３６から弾力的に突出し、挿入口１３から挿入された正規メモリーカード１２が可動体２０に当接した時、正規メモリーカード１２に形成された係合溝３８に係合することで、可動体２０と正規メモリーカード１２を挿抜方向で係合させることができる。
【００５８】
カードコネクタには、可動体２０と、可動体２０をカード排出方向に付勢するカード排出バネ２７と、ロック機構２９とで構成するカード排出機構２０を備え、ロック機構２９は可動体２０に形成するカム溝３１と、カム溝３１に一端を摺動自在に嵌入させるカムピン３２とを備え、１回目のカード押込操作でカム溝３１の係止溝部３１ｃにカムピン３２を係止させ、可動体２０をカードセット位置でロックし、２回目のカード押込操作で係止溝部３１ｃからカムピン３２を離脱させ、可動体２０のロックを解除してカード排出位置に復帰させることで、正規メモリーカード１２の挿入／排出操作を簡単に行える。所謂、プッシュイン／プッシュアウト型のカード排出機構３０を備える。
【００５９】
プッシュイン／プッシュアウト型のカード排出機構３０を備えたカードコネクタについて、カム溝３１は可動体２０がカード排出位置にある時にカムピン３２を位置させる起点溝部３１ａと、一回目のカード押込操作で起点溝部３１ａから係止溝部３１ｃにカムピン３２を導入係止させる往路溝部３１ｂと、２回目のカード押込操作で係止溝部３１ｃから起点溝部３１ａにカムピン３２を復帰させる正規復路溝部３１ｄに加え、係止溝部３１ｃからカード排出方向に形成して起点溝部３１ａに連通させるエスケープ溝７３を備え、カードセット位置の可動体２０に保持された正規メモリーカード１２の無理抜き時、係合部材３５の退入動作によって係止溝部３１ｃからカムピン３２を離脱させて可動体２０のロックを解除し、カムピン３２をエスケープ溝７３から起点溝部３１ａに復帰可能として可動体２０をカード排出位置に復帰させる無理抜き防止機構７２を備えることで、カードセット位置の可動体２０に保持された正規メモリーカード１２の無理抜きによって、カム溝３１の係止溝部３１ｃやカムピン３２に異常な負荷がかかりこれらが変形し、正規メモリーカード１２のスムーズな挿抜きを妨げる可動体２０の動作不良を招いたり、カード排出機構３０のロック機構２９が正常に機能しなくなるのを防止できる。
【図面の簡単な説明】
【００６０】
【図１】メモリーカード未挿入時のカードコネクタの外観を示す斜視図である。
【図２】図１のカードコネクタをカバー除去状態で示す斜視図である。
【図３】正規メモリーカード挿入時のカードコネクタをカバー除去状態で示す斜視図である。
【図４】図３のカードコネクタを正規メモリーカード除去状態で異なる方向から示す斜視図である。
【図５】メモリーカード未挿入時の異種小型カード挿入防止機構を示す断面図である。
【図６】正規メモリーカード挿入時の異種小型カード挿入防止機構を示す断面図である。
【図７】図６の部分拡大図である。
【図８】異種小型カード挿入時のカードコネクタをカバー除去状態で示す斜視図である。
【図９】異種小型カード挿入時の異種小型カード挿入防止機構を示す断面図である。
【図１０】図９の異種小型カード挿入防止機構の他の状態を示す断面図である。
【図１１】図１０の部分拡大図である。
【図１２】他の異種小型カード挿入時の異種小型カード挿入防止機構を示す断面図である。
【図１３】図１２の部分拡大図である。
【図１４】ボディの斜視図である。
【図１５】カバーの斜視図である。
【図１６】図１５のカバーを裏返し状態で示す斜視図である。
【図１７】スライド体の斜視図である。
【図１８】スライド体を図１７とは異なる方向から示す斜視図である。
【図１９】カード選別体の斜視図である。
【図２０】カード選別体を図１９とは異なる方向から示す斜視図である。
【図２１】正規メモリーカード誤挿入時のカードコネクタをカバー除去状態で示す平面図である。
【図２２】図４のカードコネクタを異なる方向から示す斜視図である。
【図２３】正規メモリーカード挿入時のカード選別体とカード誤挿入防止体との関係を示す部分拡大断面図である。
【図２４】正規メモリーカード未挿入時の無理抜き防止機構を示す部分拡大断面斜視図である。
【図２５】正規メモリーカード挿入時の無理抜き防止機構を示す部分拡大断面斜視図である。
【図２６】正規メモリーカード無理抜き時の無理抜き防止機構を示す部分拡大断面斜視図である。
【符号の説明】
【００６１】
１２  正規メモリーカード（正規嵌合物）
１３  カード挿入口（挿入口）    
１７  コンタクト
２０  スライド体（可動体）
２７  カード排出バネ
２９  ロック機構
３０  カード排出機構
３１  カム溝
３２  カム溝
３５  セミロック爪（係合部材）
３６  凹部
３８  セミロック溝（係合溝）
３９  角落し部
４１  カード誤挿入防止体
４４  異種小形カード挿入防止機構（異種小形嵌合物挿入防止機構）
４５  第１の異種メモリーカード（第１の異種嵌合物）
４６  第２の異種メモリーカード（第２の異種嵌合物）
４７  カード選別体（嵌合物選別体）
４８  カード選別板（嵌合物選別板）
５３ａ，５３ｂ  変位部
７２  無理抜き防止機構
７３  エスケープ溝
７７  突出しピン
【図１】
2005166520.tif 000003
【図２】
2005166520.tif 000004
【図３】
2005166520.tif 000005
【図４】
2005166520.tif 000006
【図５】
2005166520.tif 000007
【図６】
2005166520.tif 000008
【図７】
2005166520.tif 000009
【図８】
2005166520.tif 000010
【図９】
2005166520.tif 000011
【図１０】
2005166520.tif 000012
【図１１】
2005166520.tif 000013
【図１２】
2005166520.tif 000014
【図１３】
2005166520.tif 000015
【図１４】
2005166520.tif 000016
【図１５】
2005166520.tif 000017
【図１６】
2005166520.tif 000018
【図１７】
2005166520.tif 000019
【図１８】
2005166520.tif 000020
【図１９】
2005166520.tif 000021
【図２０】
2005166520.tif 000022
【図２１】
2005166520.tif 000023
【図２２】
2005166520.tif 000024
【図２３】
2005166520.tif 000025
【図２４】
2005166520.tif 000026
【図２５】
2005166520.tif 000027
【図２６】
2005166520.tif 000028